(57)【要約】      （修正有）【課題】カードサイズからＡ４サイズまでの紙葉類やカード類を、傷や擦れ痕をつけずに一枚づつ搬送し、整列させる。【解決手段】紙葉類またはカード類の供給部と、その供給部にセットされた紙葉類やカード類を一枚づつ送る送り機構と搬送路と、その搬送路に設けられたカウントセンサーと、前記した搬送路を通過した紙葉類やカード類を順次収納するスタッカーと各種の表示をする表示部及び複数の操作スイッチを備えており、計数の対象となる紙葉類とカード類は多種多様なものに予め対応可能とし、供給部とスタッカーを収納時保護カバーとすることで小型にすることを可能とした。【選択図】図３
2008013287.tif 000002
【特許請求の範囲】
【請求項１】
紙葉類とカード類の供給部と、その供給部にセットされた紙葉類とカード類を一枚づつ送る送り機構と搬送路と、その搬送路に設けられたカウントセンサーと、前記した搬送路を通過した紙葉類とカード類を順次収納するスタッカーと各種の表示をする表示部及び複数の操作スイッチを備えた紙葉類またはカード類のカウンターにおいて、計数の対象となる紙葉類またはカード類は多種多様なものに予め対応できることを特徴とする紙葉類とカード類のカウンター。
【請求項２】
前記した紙葉類とカード類を一枚づつ送る送り機構は搬送物に傷や擦れ痕を付けにくい構造としたことを特徴とする請求項１に記載の紙葉類とカード類のカウンター。
【請求項３】
前記した紙葉類とカード類を順次収納するスタッカーの手前にウイングローラーを備え、小さなものはカードサイズから大きなものはＡ４サイズまでを大きさや厚さに関係なく高速に整列させることを可能としてあることを特徴とする請求項１または請求項２に記載の紙葉類とカード類のカウンター。
【請求項４】
前記した紙葉類とカード類のカウンターは供給部とスタッカーを収納すると保護カバーになり収納時の大きさを小型にしてあることを特徴とする請求項１、請求項２または請求項３に記載の紙葉類とカード類のカウンター。
【発明の詳細な説明】
【技術分野】
【０００１】
本発明は紙葉類のカウンター、及びカード類のカウンター、主として、紙幣、商品券、名刺、ハガキ類、伝票類、サービスカード類、各種書類、切符、チケット等のカウンターに関する。
【背景技術】
【０００２】
従来より、対象となる紙葉類やカード類を搬送して光学系のセンサーを用いて、カウントする装置は知られており、金融機関、各種店舗、役所、施設等で使用されるカウンターが該当する。
【特許文献１】出願人において先行技術の調査を行なったが、格別に関連すると思われる文献を発見できなかった。
【発明の開示】
【発明が解決しようとする課題】
【０００３】
しかしながら、上記したカウンターにあってはＡ４サイズまで対応できる小型のカウンターの存在はなく、Ａ４サイズのカウントには大型のカウンターを新規で製造する必要があったという点である。
【０００４】
また、従来のカウンターは紙葉類やカード類を１枚づつ分離する際、機構の関係から傷や擦れ痕を付けてしまうことが多かったという点である。
【０００５】
さらに、紙葉類とカード類のように小さいものから大きなもので厚さ、硬さや重さの違うものを対象として、高速に搬送し整列させることは難しく実現が困難となっており排出した後、バラバラになって揃え直す必要があったという点である。
【課題を解決するための手段】
【０００６】
紙葉類とカード類の供給部と、その供給部にセットされた紙葉類とカード類を一枚づつ送る送り機構と搬送路と、その搬送路に設けられたカウントセンサーと、前記した搬送路を通過した紙葉類とカード類を順次収納するスタッカーと各種の表示をする表示部及び複数の操作スイッチを備えた紙葉類またはカード類のカウンターにおいて、計数の対象となる紙葉類またはカード類は多種多様なものに予め対応できることを特徴としている。
【０００７】
次に、本発明に係る紙葉類とカード類のカウンターは、挿入部に当て板とガイドローラーを備え、Ａ４サイズ等の大型で枚数が多いと重くなる紙葉類を分離しやすい形に揃え、分離しやすい枚数を分離ローラーに送り込むことを特徴としている。
【０００８】
また、本発明に係る紙葉類とカード類のカウンターは、分離ローラー軸にトルクリミッターを備え、紙葉類が無い時と１枚の時は回転し、２枚以上の時は２枚目の紙葉類のエッジに乗り上げ少し浮きあがることで、直接、紙葉類が分離ローラーと擦れずに確実に分離することを特徴としている。
【０００９】
さらに、本発明に係る紙葉類とカード類のカウンターは、ウイングローラーを備え、排出時に、紙葉類の先端を搬送角度を変え、終端部を下に下げることで最小限のスペース内で整列収納させることを特徴としている。
【００１０】
そして、本発明に係る紙葉類とカード類のカウンターは、供給部のホッパーとスタッカーがそれぞれ、上部カバーと前面カバーになることで、収納時の大きさを小型にしていることを特徴としている。
【発明を実施するための最良の形態】
【００１１】
図面として示す実施例のように構成することで実現した。
【実施例１】
【００１２】
次に本発明の好ましい実施の形態を、図面を参照して説明する。図１は本発明を実施した紙葉類とカード類カウンターの収納時の全体を示す平面図、図２は収納時の機構を示す側面図、図３は小型紙葉類搬送時の機構を示す側面図、図４は、分離ローラーとメインローラーの関係を示す正面図、図５は大型紙葉類搬送時の機構を示す側面図、図６は分離し易い構造を示す図、図７は分離しにくい構造を示す図、図８は分離ローラーの作用を示す図、図９はウイングローラーの正面図である。
【００１３】
これらの図にあって１は紙葉類とカード類のカウンター本体を示している。このカウンター本体１は奥の上部に供給部２が設けられており、手前のスタッカー部３まで一枚づつ紙葉類を搬送する搬送路４が形成されていて両サイドのパネル ５、６で各ローラー軸の軸受けが支持されモータにより１方向に回転し搬送する。
【００１４】
供給部２には送りローラー７があり、搬送路４の窓孔から突出する一部分の突起７ａにより紙Ａを搬送する。この送りローラー７の回転駆動は図示しないモータによる。紙Ａは複数枚同時に搬送されるが、入り口に斜めにたてられた当て板８の隙間により分離可能な枚数を送り込む。送り込まれた紙はガイドローラー９により更に分離しやすい形に紙をずらすために、ガイドローラー９の軸１０には軽い上下のテンションとトルクを加えて両端で支持している。図６に分離しやすい構造、図７に分離しにくい構造を示すようにメインローラー１６と分離ローラー１１の間に紙を搬送する際、メインローラー１６側の一番下の紙を必ず先に搬送することで確実に分離することができる。
【００１５】
分離ローラー１１はブラケット１３にて分離ローラー軸１２を軸受けにて保持されている。また、分離ローラー軸１２はトルクリミッター１４が取付られていて、規定のトルクが分離ローラー１１に掛かると空転する。ブラケット１３はステー１５を支点としてメインローラー１６にスプリングにより押し付けられている。図８のようにメインローラー１６と分離ローラー１１の間に紙が複数枚入ると、分離ローラー１１は停止し、１枚だけを搬送する。１枚だけの場合は、分離ローラー１１は搬送方向に回転するので、紙に傷や擦れ痕をつけないで搬送することができる。
【００１６】
ウイングローラー（ベーン）１７は図９のように穴あきのパイプ１８に数個取り付けられ、搬送方向に回転する。材質は弾力のあるウレタンゴムかシリコンゴムで搬送面に少し食い込む形で配置され、パイプ１８の穴からの風と羽の弾力により紙の先端の排出角度を１５度程度上にして排出された時に下面に引っかかることを防止し、更に紙の後端を軽く下に押し付けるようにすることで紙葉類の大きさや厚さ、硬さに関係なく、高速収納できる。
【００１７】
上部カバー１９を開き、前面カバー２１と全面カバー２２を開くことで小型の紙葉類やカード類をカウントすることができ、さらに、スライドトレイ２０を引き出し、前面カバー２１を引き出すことでＡ４サイズまでの紙葉類をカウントできる。そして、収納時はコンパクトに収納することができる。
【産業上の利用可能性】
【００１８】
本発明に係わるカウンターは上記のように構成されているため、紙幣や商品券、名刺、ハガキ類、伝票類、サービスカード類、各種書類、切符、チケット等を扱う現場では全て使用可能となり、ほとんどの紙葉類やカード類の計数を行うことができる。
【図面の簡単な説明】
【００１９】
【図１】本発明を実施した紙葉類とカード類カウンターの収納時の全体を示す平面図である。
【図２】収納時の機構を示す側面図である。
【図３】小型紙葉類搬送時の機構を示す側面図である。
【図４】分離ローラーとメインローラーの関係を示す正面図である。
【図５】大型紙葉類搬送時の機構を示す側面図である。
【図６】分離しやすい形を示す図である。
【図７】分離しにくい形を示す図である。
【図８】分離ローラーの作用を示す図である。
【図９】ウイングローラーの正面図である。
【符号の説明】
【００２０】
１    本体
２    供給部
３    スタッカー部
４    搬送路
５    左サイドパネル
６    右サイドパネル
７    送りローラー
７ａ  突起
８    当て板
９    ガイドローラー
１０  ガイドローラー軸
１１  分離ローラー
１２  分離ローラー軸
１３  ブラケット
１４  トルクリミッター
１５  ステー
１６  メインローラー
１７  ウイングローラー
１８  パイプ
１９  上部カバー
２０  スライドトレイ
２１  前面カバー
２２  前面中カバー
Ａ    紙葉類
【図１】
2008013287.tif 000003
【図２】
2008013287.tif 000004
【図３】
2008013287.tif 000005
【図４】
2008013287.tif 000006
【図５】
2008013287.tif 000007
【図６】
2008013287.tif 000008
【図７】
2008013287.tif 000009
【図８】
2008013287.tif 000010
【図９】
2008013287.tif 000011